(57)【要約】【課題】本発明は、発光効率及び輝度特性を向上させることができるプラズマディスプレイパネル及びその駆動方法を提供するためのものである。【解決手段】本発明は、前面基板に形成された第１表示電極と、前記第１表示電極と交差する方向に後面基板に形成された第２表示電極と、前記後面基板に前記第２表示電極に平行するように形成されたアドレス電極とを含むことを特徴とする。【選択図】図１
2007073526.tif 000002
【特許請求の範囲】
【請求項１】
前面基板に形成された第１表示電極と、
前記第１表示電極と交差する方向に後面基板に形成された第２表示電極と、
前記後面基板に前記第２表示電極に平行するように形成されたアドレス電極と、
を含むことを特徴とするプラズマディスプレイパネル。
【請求項２】
前記アドレス電極は、１つの放電セル内で前記第２表示電極の両側に平行するように形成されることを特徴とする請求項１記載のプラズマディスプレイパネル。
【請求項３】
前記第１表示電極と第２表示電極との間の間隔は１００μｍ〜５００μｍであることを特徴とする請求項１記載のプラズマディスプレイパネル。
【請求項４】
前記第１表示電極は透明電極とバス電極とを含むことを特徴とする請求項１記載のプラズマディスプレイパネル。
【請求項５】
前記第２表示電極と前記アドレス電極は各々１つの層で形成されることを特徴とする請求項１記載のプラズマディスプレイパネル。
【請求項６】
前記第２表示電極と前記アドレス電極は各々金属電極だけでなされることを特徴とする請求項５記載のプラズマディスプレイパネル。
【請求項７】
前記第１表示電極はスキャンのための電極であることを特徴とする請求項１記載のプラズマディスプレイパネル。
【請求項８】
前記第１表示電極の透明電極は１つの放電セル内で突出部を含むことを特徴とする請求項４記載のプラズマディスプレイパネル。
【請求項９】
前記第２表示電極は透明電極とバス電極とを含み、
前記第２表示電極の透明電極は１つの放電セル内で突出部を含むことを特徴とする請求項１記載のプラズマディスプレイパネル。
【請求項１０】
第１表示電極が形成された前面基板と、前記第１表示電極と交差する方向に第２表示電極が形成された後面基板と、前記第１表示電極と第２表示電極とが交差して形成された１つの放電セル内で前記第２表示電極の両側に平行するように形成された２つのアドレス電極とを含むプラズマディスプレイパネルの電極に駆動パルスを印加して駆動する方法であって、
前記第２表示電極にリセット期間の間、リセットパルスを印加するステップと、
前記第１表示電極にアドレス期間の間、スキャンパルスを印加して、前記アドレス電極に各々データパルスを同時に印加するステップと、
前記第１表示電極及び第２表示電極にサステイン期間の間、サステインパルスを交互に供給するステップと、
を含むことを特徴とするプラズマディスプレイパネルの駆動方法。
【請求項１１】
前記第２表示電極と前記アドレス電極との間にリセット放電が発生することを特徴とする請求項１０記載のプラズマディスプレイパネルの駆動方法。
【請求項１２】
前記第１表示電極と前記アドレス電極との間にアドレッシング放電が発生することを特徴とする請求項１０記載のプラズマディスプレイパネルの駆動方法。
【請求項１３】
前記第１表示電極と第２表示電極との間にサステイン放電が発生することを特徴とする請求項１０記載のプラズマディスプレイパネルの駆動方法。
【請求項１４】
前記アドレス電極に印加されるデータパルスの基準電位はグラウンド以下であることを特徴とする請求項１０記載のプラズマディスプレイパネルの駆動方法。
【請求項１５】
前記第１表示電極に印加される駆動パルスの基準電位は正の電圧であることを特徴とする請求項１０記載のプラズマディスプレイパネルの駆動方法。
【請求項１６】
前記第２表示電極に印加される駆動パルスの基準電位は、前記第１表示電極に印加される駆動パルスの基準電位より低いことを特徴とする請求項１０記載のプラズマディスプレイパネルの駆動方法。
【請求項１７】
前記第２表示電極に印加される駆動パルスの基準電位は正の電圧であることを特徴とする請求項１６記載のプラズマディスプレイパネルの駆動方法。
【発明の詳細な説明】
【技術分野】
【０００１】
本発明は、プラズマディスプレイパネル及びその駆動方法に関する。
【背景技術】
【０００２】
一般に、プラズマディスプレイパネルは、隔壁で区画された放電セル（Cell）内に蛍光体層を含み、放電セルに駆動信号が印加できるように複数の電極（Electrode）を備える。
【０００３】
このようなプラズマディスプレイパネルは、放電セルに駆動信号を印加すれば、放電セル内に充填されている放電ガスが真空紫外線（Vacuum Ultraviolet rays）を発生する。このような真空紫外線が放電セル内に形成された蛍光体を発光させて映像を具現する。
【発明の開示】
【発明が解決しようとする課題】
【０００４】
本発明は、発光効率及び輝度特性を向上させることができるプラズマディスプレイパネル及びその駆動方法を提供することをその目的とする。
【課題を解決するための手段】
【０００５】
本発明の一実施形態によれば、プラズマディスプレイパネルは、前面基板に形成された第１表示電極、第１表示電極と交差する方向に後面基板に形成された第２表示電極、及び後面基板に前記第２表示電極に平行するように形成されたアドレス電極を含む。
【０００６】
アドレス電極は１つの放電セル内で前記第２表示電極の両側に平行するように形成されることを特徴とする。
【０００７】
第１表示電極は１つの放電セル内で突出部を含むことを特徴とする。
【０００８】
本発明の他の実施形態によれば、プラズマディスプレイパネルの駆動方法は、第１表示電極が形成された前面基板と、第１表示電極と交差する方向に第２表示電極が形成された後面基板と、第１表示電極と第２表示電極が交差して形成された１つの放電セル内で第２表示電極の両側に平行するように形成された２つのアドレス電極とを含むプラズマディスプレイパネルにおいて、第２表示電極にリセット期間の間、リセットパルスを印加するステップ、第１表示電極にアドレス期間の間、スキャンパルスを印加して、アドレス電極に各々データパルスを同時に印加するステップ、第１表示電極及び第２表示電極にサステイン期間の間、サステインパルスを交互に供給するステップを含む。
【０００９】
アドレス電極に印加されるデータパルスの基準電位はグラウンド以下であることを特徴とする。
【発明の効果】
【００１０】
本発明によれば、発光効率及び輝度特性が向上したプラズマディスプレイパネルを得ることができる。
【発明を実施するための最良の形態】
【００１１】
図１は、本発明の一実施形態に係るプラズマディスプレイパネルの斜視図である。
【００１２】
図１を参照すれば、プラズマディスプレイパネルは、前面パネル１１０と、前面パネル１１０に平行するように位置した後面パネル１２０とからなる。
【００１３】
前面パネル１１０は前面基板１１１上に平行するように配列された第１表示電極（Ｙ）を含み、後面パネル１２０は後面基板１２１の上に表示電極（Ｙ）に垂直な方向に配列されたアドレス電極（Ａ）と第２表示電極（Ｘ）とを含む。
【００１４】
このような前面パネル１１０と後面パネル１２０には複数の第１表示電極とアドレス電極及び第２表示電極が行及び列で配列される。
【００１５】
第１表示電極（Ｙ）は単一層のバス電極でのみ構成されることができるが、図示したように、インジウムスズ酸化物（indium tin oxide；ＩＴＯ）とのような透明電極からなる導電膜１１３と、透明導電膜１１３が有する高い抵抗を補完するために透明導電膜の縁に沿ってクロムまたは銀のような導電性金属で形成されるバス電極１１４とを含む。
【００１６】
このような第１表示電極（Ｙ）は、プラズマディスプレイパネル駆動の際、映像を前面パネルに表すためのスキャン用電極である。
【００１７】
第１表示電極（Ｙ）上には普通厚さ３０μｍ程度の低融点ガラスからなる誘電体層１１２が塗布され、その表面には酸化マグネシウムのような保護層１１５が蒸着される。
【００１８】
後面基板に形成された第２表示電極（Ｘ）は、第１表示電極（Ｙ）と同様に透明電極とバス電極を含むことができるが、図示したように、バス電極である単一層で形成される。また、アドレス電極（Ａ）やはりバス電極である単一層からなる。
【００１９】
アドレス電極（Ａ）と第２表示電極（Ｘ）上には、通常厚さ１０μｍの誘電体層１２２が塗布され、その誘電体層の上に約１５０μｍ高さの隔壁１２３が第２表示電極（Ｘ）及びアドレス電極（Ａ）と平行した方向に配列される。
【００２０】
これらの隔壁１２３は放電空間を形成する。
【００２１】
隔壁により形成された放電セル構造は、ストライプ構造に限定されず、前述した本発明の電極配置が受容できる他の隔壁構造、例えばワッフル（waffle）構造、または、ミアンダー（meander）構造の放電セル構造で表れることができる。
【００２２】
誘電体層１２２及び隔壁１２３の上には、各々赤色、緑色及び青色の蛍光体層１２５Ｒ、１２５Ｇ、１２５Ｂが形成される。蛍光体層１２５Ｒ、１２５Ｇ、１２５Ｂは前記隔壁１２３上のみに提供されることができ、これとは異に、前記蛍光体層１２５Ｒ、１２５Ｇ、１２５Ｂを荷電粒子の衝突から保護するための追加の保護層（図示していない）が前記蛍光体層１２５Ｒ、１２５Ｇ、１２５Ｂの上に提供されることができる。
【００２３】
また、前面パネル１１０と後面パネル１２０との間の放電空間には、プラズマ放電のための放電ガスが充填され、隔壁により形成された単位ピクセルはＲ、Ｇ、Ｂサブピクセルに分けられる。
【００２４】
このようなプラズマディスプレイパネルは、図示してはいないが、各電極を駆動する駆動部により駆動される。
【００２５】
図２ａ乃至図２ｄは、本発明の一実施形態に係るプラズマディスプレイパネルの放電セルで電極の形状及び配置構造に対する種々の例を示す図である。
【００２６】
図２ａ乃至図２ｄを説明すれば、プラズマディスプレイパネルの電極は一定間隔（ｈ）だけ離隔した両基板（Ｆ、Ｒ）に第１表示電極（Ｘ）、第２表示電極（Ｙ）及びアドレス電極（Ａ）が配置される。このような両基板（Ｆ、Ｒ）は横及び縦の長さが各々ｄ１及びｄ２である平面と定義することができ、この平面はＰＤＰを構成する放電セルの２次元的な規格に対応する。前記各基板の長さ（ｄ１、ｄ２）は通常のＰＤＰセルサイズによって設計されることができる。
【００２７】
１つの平面（Ｆ）上には第１表示電極（Ｙ）が配置され、他の平面（Ｒ）には第２表示電極（Ｘ）及びアドレス電極（Ａ）が配置される。
【００２８】
この場合、第２表示電極（Ｘ）及びアドレス電極（Ａ）は同一平面上に配置されないこともできる。
【００２９】
第１表示電極（Ｙ）は、透明電極１１３と金属電極であるバス電極１１４とを含み、図２ｃ及び図２ｄのように、透明電極は１つの放電セル内で突出部１１３ａを含むことができる。このような突出部はプラズマディスプレイパネル駆動の際、放電領域を大きくして放電効率を向上させることができる。
【００３０】
第２表示電極は金属電極だけでなされることができる。また、第２表示電極は透明電極と金属電極を含むことができ、この場合、透明電極は図２ｄのように、１つの放電セル内で突出部１１３ａを含むことができる。
【００３１】
第１表示電極（Ｙ）と第２表示電極（Ｘ）に含まれた透明電極の幅はプラズマディスプレイパネルの全体で一定の幅が維持できるが、放電セル内に形成された蛍光体の種類によって異なる幅を有することができる。
【００３２】
アドレス電極と第２表示電極（Ｘ）は所定距離（w１）離隔し、この場合、離隔距離は５０μｍ以下である。
【００３３】
第１表示電極（Ｙ）と第２表示電極（Ｘ）との間の距離は、プラズマディスプレイパネル駆動の際、陽光柱領域を用いてプラズマ放電が生じられるように、少なくとも隔壁の高さより大きく形成し、好ましくは１００μｍ以上５００μｍ以下にする。
【００３４】
このような電極形状及び電極配置構造を有するプラズマディスプレイパネルは、プラズマ放電の際、放電効率を向上させることができる。
【００３５】
図３は、本発明の一実施形態に係るプラズマディスプレイパネルの駆動方法を説明するための図である。
【００３６】
図示したように、プラズマディスプレイパネルの駆動方法は、まずアドレス区間でアドレス電極（Ａ）に加えられた正のアドレスパルス（Ｐａ）及び第１表示電極（Ｙ）に加えられた負のスキャンパルス（Ｐｓ）により放電が発生してセルが選択される。
【００３７】
選択されたセルには第１表示電極（Ｙ）とアドレス電極（Ａ）との間にアドレス放電が発生して、アドレス電極（Ａ）の上には負の電荷が、第１表示電極（Ｙ）の上には正の電荷が蓄積される。
【００３８】
また、図示してはいないが、アドレス区間で第１表示電極（Ｙ）とアドレス電極（Ａ）との間に発生する対向放電の際、壁電圧の形成を容易にするために両電極の基準電位を異にすることができる。
【００３９】
次に、維持放電区間では、第２表示電極（Ｘ）と第１表示電極（Ｙ）との間に交互に放電電圧より低い電圧の維持パルス（Ｐｓｕｓ）が加えられ、これによって、アドレス区間で選択されたセルは放電を維持することになる。
【００４０】
リセット区間では、以前の維持区間で維持放電が生じていた画素内の壁電圧の状態を消えたセル（Off-cell）の壁電荷状態と同一にする。例えば、維持放電が終わる時点で第１表示電極（Ｙ）にプリリセットパルス（pre-reset pulse）を印加し、次に第２表示電極（Ｘ）にランプ波形を印加する方式でリセット動作がなされることができる。
【００４１】
図４は、本発明の一実施形態に係る他のプラズマディスプレイパネルの構造を示す図である。
【００４２】
図４を参照すれば、プラズマディスプレイパネルの構造は、図１に図示されたプラズマディスプレイパネルの構造とほぼ同一である。但し、後面基板１２１に形成されたアドレス電極（ＡＬ、ＡＲ）は１つの放電セル内で第２表示電極（Ｘ）の両側に並べて形成される。
【００４３】
このような構造は第２表示電極（Ｘ）とアドレス電極（ＡＬ、ＡＲ）との間にリセット放電をより円滑にして放電セル内に壁電荷を均一になることができる。
【００４４】
また、電極の形状及び配置構造やはり図２ａ乃至図２ｄに図示された例と同一に形成されることができる。
【００４５】
図５は、図４に示したプラズマディスプレイパネルの駆動方法を説明するための図である。
【００４６】
図５を説明すれば、図３に図示されたプラズマディスプレイパネルの駆動方法とほぼ同一である。但し、第１表示電極（Ｙ）に印加される駆動パルス、例えば、スキャンパルスの基準電位は正の電圧（Ｖｂ１）を有し、アドレス電極（Ａ）に印加されるデータパルスの基準電位はグラウンド（ＧＮＤ）以下の電圧を有する。すなわち、データパルスの基準電位は負の電圧（−Ｖｂ２）を有する。
【００４７】
また、第２表示電極（Ｘ）に印加される駆動パルスの基準電位は、第１表示電極（Ｙ）に加えられた正の電圧（Ｖｂ１）に比べて低いバイアス電圧（Ｖｂ３）でありうる。
【００４８】
この場合、第２表示電極に印加される駆動パルスの基準電位は正の電圧である。
【００４９】
以上のように、本発明に係るプラズマディスプレイパネル及びその駆動方法を例示した図面を参照して説明したが、本発明は明細書に開示された実施形態と図面により限るのでなく、技術思想が保護される範囲内で応用されることができる。
【図面の簡単な説明】
【００５０】
【図１】本発明の一実施形態に係るプラズマディスプレイパネルの斜視図である。
【図２ａ】本発明の一実施形態に係るプラズマディスプレイパネルの放電セルにおいて、電極の形状及び配置構造に対する種々の例を示す図である。
【図２ｂ】本発明の一実施形態に係るプラズマディスプレイパネルの放電セルにおいて、電極の形状及び配置構造に対する種々の例を示す図である。
【図２ｃ】本発明の一実施形態に係るプラズマディスプレイパネルの放電セルにおいて、電極の形状及び配置構造に対する種々の例を示す図である。
【図２ｄ】本発明の一実施形態に係るプラズマディスプレイパネルの放電セルにおいて、電極の形状及び配置構造に対する種々の例を示す図である。
【図３】本発明の一実施形態に係るプラズマディスプレイパネルの駆動方法を説明するための図である。
【図４】本発明の一実施形態に係る他のプラズマディスプレイパネルの構造を示す図である。
【図５】図４に示したプラズマディスプレイパネルの駆動方法を説明するための図である。
【符号の説明】
【００５１】
１１０  前面パネル
１１１  前面基板
１２０  後面パネル
１２１  後面基板
１１３  導電膜
１１４  バス電極
【図１】
2007073526.tif 000003
【図２ａ】
2007073526.tif 000004
【図２ｂ】
2007073526.tif 000005
【図２ｃ】
2007073526.tif 000006
【図２ｄ】
2007073526.tif 000007
【図３】
2007073526.tif 000008
【図４】
2007073526.tif 000009
【図５】
2007073526.tif 000010